【手続補正書】
【提出日】平成26年1月30日(2014.1.30)
【手続補正１】
【補正対象書類名】特許請求の範囲
【補正対象項目名】全文
【補正方法】変更
【補正の内容】
【特許請求の範囲】
【請求項１】
画像に対し、予め定められたシーンを撮像した画像である確からしさを表すシーン信頼度を算出する信頼度算出手段と、
前記信頼度算出手段により算出されるシーン信頼度に基づいて画像を補正する補正手段と、を有し、
前記信頼度算出手段は、被写界輝度値に基づくシーン信頼度を算出して画像が第１のシーンである確からしさを判定し、前記被写界輝度値と前記画像に含まれる色とに基づいてシーン信頼度を算出して画像が第２のシーンである確からしさを判定し、
対応する被写界輝度における、前記第１のシーンについてのシーン信頼度が、第２のシーンについてのシーン信頼度の算出に用いられる被写界輝度値が高いほど高くなる信頼度を、下回らないように設定されていることを特徴とする画像処理装置。
【請求項２】
前記補正手段は、
複数種のシーンについて、予め定められた補正範囲に含まれる画素値に予め定められた補正を適用するための補正量テーブルを算出する補正量算出手段と、
前記複数種のシーンの各々について算出された前記補正量テーブルを、対応するシーンのシーン信頼度を適用して合成することにより、入力画素値の各々に対して補正後の画素値を対応付けた補正テーブルを算出するテーブル算出手段と、を有することを特徴とする請求項１に記載の画像処理装置。
【請求項３】
前記信頼度算出手段が、前記画像を所定の複数に分割した領域ごとの代表色を算出し、前記代表色が前記第２のシーンに対して予め定められた色の範囲に含まれる領域の数の前記所定の複数に対する割合が高いほど高くなる信頼度と、前記被写界輝度値が高いほど高くなる信頼度との積を前記第２のシーンについてのシーン信頼度として算出することを特徴とする請求項１記載の画像処理装置。
【請求項４】
前記予め定められた色の範囲が、所定の色空間における領域として定められるとともに、前記予め定められた色の範囲の周囲に補正量低減領域がさらに定められ、前記補正量算出手段は、前記補正量低減領域に含まれる色に対する補正量を、前記予め定められた色の範囲から離れるにつれて、前記予め定められた色の範囲に含まれる色に対する補正量から低減させることを特徴とする請求項２又は請求項３記載の画像処理装置。
【請求項５】
前記補正量算出手段が、前記第２のシーンに対して予め定められた色の範囲に含まれる色の画素が、補正前の色の所定の色空間における座標と、前記第２のシーンについてのシーン信頼度が最大である場合の補正後の色の前記所定の色空間における座標とを結ぶ直線上に存在する色となるような補正量を算出することを特徴とする請求項１乃至請求項４のいずれか１項に記載の画像処理装置。
【請求項６】
前記第１のシーンが屋外シーンであり、前記第２のシーンが青空シーン、自然の緑シーン、紅葉シーン、夕景シーンの少なくとも１つであることを特徴とする請求項１乃至請求項５のいずれか１項に記載の画像処理装置。
【請求項７】
前記信頼度算出手段は、前記被写界輝度値に応じて屋外シーンのシーン信頼度を算出することを特徴とする請求項６記載の画像処理装置。
【請求項８】
前記信頼度算出手段は、
前記画像の向きに応じて予め定められた青空検出領域のうち、予め色空間に設定された青空判定領域に含まれる色を有する青空領域の割合に応じて算出される第１の信頼度と、
前記屋外シーンのシーン信頼度とは異なる特性で、前記被写界輝度値に応じて算出される第２の信頼度と、
に基づいて青空シーンのシーン信頼度を算出することを特徴とする請求項６または７記載の画像処理装置。
【請求項９】
前記信頼度算出手段は、
前記画像のうち、予め色空間に設定された自然の緑判定領域に含まれる色を有する自然の緑領域の割合に応じて算出される第１の信頼度と、
前記屋外シーンのシーン信頼度とは異なる特性で、前記被写界輝度値に応じて算出される第２の信頼度と、
に基づいて自然の緑シーンのシーン信頼度を算出することを特徴とする請求項６乃至８のいずれか１項に記載の画像処理装置。
【請求項１０】
前記信頼度算出手段は、
前記画像のうち、予め色空間に設定された夕景判定領域に含まれる色を有する夕景領域の割合に応じて算出される第１の信頼度と、
前記画像のうち、予め色空間に設定された非夕景判定領域に含まれる色を有する非夕景領域の割合に応じて算出される第２の信頼度と、
前記屋外シーンのシーン信頼度とは異なる特性で、前記被写界輝度値に応じて算出される第３の信頼度と、
に基づいて自然の緑シーンのシーン信頼度を算出することを特徴とする請求項６乃至９のいずれか１項に記載の画像処理装置。
【請求項１１】
前記信頼度算出手段は、
前記画像のうち、予め色空間に設定された紅葉判定領域に含まれる色を有する紅葉領域の割合に応じて算出される第１の信頼度と、
前記屋外シーンのシーン信頼度とは異なる特性で、前記被写界輝度値に応じて算出される第２の信頼度と、
に基づいて紅葉シーンのシーン信頼度を算出することを特徴とする請求項６乃至１０のいずれか１項に記載の画像処理装置。
【請求項１２】
前記画像を撮影によって取得する撮像手段と、
請求項１乃至１１のいずれか１項に記載の画像処理装置と、
を有することを特徴とする撮像装置。
【請求項１３】
画像に対し、予め定められたシーンを撮像した画像である確からしさを表すシーン信頼度を、画像処理装置の信頼度算出手段が算出する信頼度算出工程と、
前記画像処理装置の補正手段が、前記信頼度算出手段により算出されるシーン信頼度に基づいて画像を補正する補正工程とを有し、
前記信頼度算出工程において前記信頼度算出手段は、被写界輝度値に基づくシーン信頼度を算出して画像が第１のシーンである確からしさを判定し、前記被写界輝度値と前記画像に含まれる色とに基づいてシーン信頼度を算出して画像が第２のシーンである確からしさを判定し、
対応する被写界輝度における、前記第１のシーンについてのシーン信頼度が、第２のシーンについてのシーン信頼度の算出に用いられる被写界輝度値が高いほど高くなる信頼度を、下回らないように設定されていることを特徴とする画像処理装置の制御方法。
【請求項１４】
コンピュータを、請求項１乃至請求項１１のいずれか１項に記載の画像処理装置の各手段として機能させるためのプログラム。
【手続補正２】
【補正対象書類名】明細書
【補正対象項目名】発明の名称
【補正方法】変更
【補正の内容】
【発明の名称】画像処理装置およびその制御方法、ならびに撮像装置
【手続補正３】
【補正対象書類名】明細書
【補正対象項目名】０００１
【補正方法】変更
【補正の内容】
【０００１】
本発明は、画像処理装置およびその制御方法、ならびに撮像装置に関し、特に画像が撮像されたシーンを判別する技術に関する。
【手続補正４】
【補正対象書類名】明細書
【補正対象項目名】０００８
【補正方法】変更
【補正の内容】
【０００８】
本発明はこのような従来技術の課題に鑑みなされたものである。本発明は、シーン検出結果に応じた色補正を行う画像処理装置及びその制御方法、ならびに撮像装置において、撮像時に画角が変化した場合の色補正結果のバラツキを抑制可能とすることを目的とする。
【手続補正５】
【補正対象書類名】明細書
【補正対象項目名】０００９
【補正方法】変更
【補正の内容】
【０００９】
この目的は、画像に対し、予め定められたシーンを撮像した画像である確からしさを表すシーン信頼度を算出する信頼度算出手段と、信頼度算出手段により算出されるシーン信頼度に基づいて画像を補正する補正手段と、を有し、信頼度算出手段は、被写界輝度値に基づくシーン信頼度を算出して画像が第１のシーンである確からしさを判定し、被写界輝度値と画像に含まれる色とに基づいてシーン信頼度を算出して画像が第２のシーンである確からしさを判定し、対応する被写界輝度における、第１のシーンについてのシーン信頼度が、第２のシーンについてのシーン信頼度の算出に用いられる被写界輝度値が高いほど高くなる信頼度を、下回らないように設定されていることを特徴とする画像処理装置によって達成される。
【手続補正６】
【補正対象書類名】明細書
【補正対象項目名】００１０
【補正方法】変更
【補正の内容】
【００１０】
このような構成により、本発明によれば、シーン検出結果に応じた色補正を行う画像処理装置及びその制御方法、ならびに撮像装置において、撮像時に画角が変化した場合の色補正結果のバラツキを抑制することができる。